(57)【要約】【課題】引戸の上框に設置した戸車を冷蔵ショーケースの前面開口部を構成する上枠に沿って設置されたレールに走行自在に係合してなる冷蔵ショーケースの上吊引戸において、上吊引戸の前後の振れを制限して冷気の洩れを少なくできるようにし、しかも引戸の安定した走行を可能にする。【解決手段】引戸の上框上に取り付けられ、上框の厚さに略等しい長さを有して水平方向に延びる固定片と、固定片に対して垂直の方向に延びる戸車支持片と、固定片の一側と戸車支持片の下縁との間に斜めに延びて固定片と戸車支持片とを連結している連結斜片とを一体に備え、断面フック状とされたブラケットが前記引戸の上框上に設置され、前記戸車支持片に垂直に設けられた軸を介して戸車が設けられている。【選択図】図１
2008023028.tif 000002
【特許請求の範囲】
【請求項１】
引戸の上框に設置した戸車を、冷蔵ショーケースの前面開口部を構成する上枠に沿って設置されたレールに走行自在に係合してなる冷蔵ショーケースの上吊引戸において、
引戸の上框上に取り付けられ、前記上框の厚さに略等しい長さを有して水平方向に延びる固定片と、当該固定片に対して垂直の方向に延びる戸車支持片と、固定片の一側と戸車支持片の下縁との間に斜めに延びて固定片と戸車支持片とを連結している連結斜片とを一体に備え、断面フック状とされたブラケットが前記引戸の上框上に設置され、前記戸車支持片に垂直に設けられた軸を介して前記戸車が設けられている
ことを特徴とする冷蔵ショーケースの上吊引戸である。
【請求項２】
前記上吊引戸は、下框の全長に亘って、下框の前縁又は後縁に沿って下方に延びる遮蔽板を備えており、当該遮蔽板が、前記冷蔵ショーケースの前面開口部の下枠に沿って全長に亘って形成されている収容溝に収容されていることを特徴とする請求項１記載の冷蔵ショーケースの上吊引戸。
【請求項３】
請求項２記載の冷蔵ショーケースの上吊引戸が、前後方向に２枚隣接して配置されていると共に、前記冷蔵ショーケースの前面開口部の下枠に、当該２枚の上吊引戸の中の外側の上吊引戸の前記遮蔽板の外面から、内側の上吊引戸の前記遮蔽板の内面までの幅で凹入部が長手方向に沿って形成され、この凹入部に外側の上吊引戸の遮蔽板の内面から内側の上吊引戸の遮蔽板の外面までの幅を有し、上側面の高さが、前記前面開口部の下枠の上側面の高さと同一になる下部レールが設置されて、前記収容溝が当該下部レールの前側および後側にそれぞれ形成され、前記凹入部に下側から結露防止用ドレンパイプが接続されていることを特徴とする冷蔵ショーケースの上吊引戸。
【請求項４】
冷蔵ショーケースの前面開口部の外側に配備される請求項１乃至３のいずれか一項記載の冷蔵ショーケースの上吊引戸の、左右方向で他の上吊引戸の縦框または、冷蔵ショーケースの前面開口部の縦枠に当接しない側の下框の端部に、前面開口部の下枠に摺接する洩れ止めフィンが設けられていることを特徴とする冷蔵ショーケースの上吊引戸。
【請求項５】
請求項１乃至３のいずれか一項記載の冷蔵ショーケースの上吊引戸が左右方向において２枚隣接される際に、引戸相互の当接部に対応させて、冷蔵ショーケースの前面開口部の下枠にストッパが着脱自在に設けられていることを特徴とする冷蔵ショーケースの上吊引戸。
【発明の詳細な説明】
【技術分野】
【０００１】
この発明は、冷蔵ショーケースの前面開口部に設置される上吊引戸に係り、更に、詳しくは、冷蔵ショーケースの前面開口部に上吊引戸が設置されたときに、上吊引戸が前後方向、すなわち、上吊引戸の前面方向（冷蔵ショーケースの外側方向）、上吊引戸の後ろ面方向（冷蔵ショーケースの内側方向）への振れを制限して、冷気の洩れを少なくすると共に、開閉時のスムーズで安定した走行を可能にした冷蔵ショーケースの上吊引戸に関する。
【背景技術】
【０００２】
従来、冷蔵ショーケースの前面開口部に設けられる引戸は、開口部の下枠に設置したレールに沿って走行する戸車を引戸の下框に設けたり、開口部の下枠に溝を形成して、この溝に引戸の下框を嵌合させて開閉できるようにしていた。
【０００３】
しかしながら、開口部の下枠にレールや溝を設けると下枠に凹凸が形成され、開口部の掃除が困難になる。これは冷蔵ショーケースにとっては欠点となり、改善が求められていた。
【０００４】
開口部下枠にレールや溝の必要をなくする手段として、建具の分野では上吊引戸の手段が知られている（特許文献１〜３）。この従来知られている建具の上吊引戸では、引戸の上框に垂直突片でなるブラケットを設け、このブラケットに水平方向の軸を介して戸車を設け、この戸車が上枠側に設置したレール上を走行するようにしている。
【特許文献１】特開平９−２６８８３４号公報（図５）
【特許文献２】特開２００５−６８８３６号公報（図１、２）
【特許文献３】特開２００５−７６３５８号公報（図１、２）
【発明の開示】
【発明が解決しようとする課題】
【０００５】
ところで、冷蔵ショーケースの場合、冷気の洩れを極力少なくすることが熱経済上必要である。そこで、冷蔵ショーケースの前面開口部に上吊引戸を設置した場合、引戸の前後方向（すなわち、冷蔵ショーケースの内側方向及び外側方向）の振れを制限して引戸周囲に隙間が形成されるのを避けることが必要になってくる。
【０００６】
この点、従来知られている建具の上吊引戸の構造では、戸車を設置するブラケットが単なる垂直突片で引戸の上框上に構成されていたので、引戸に前後方向の振れが生じやすく、冷蔵ショーケースの前面開口部に設ける上吊引戸としては改善が必要であった。
【０００７】
そこで、この発明の目的は、上吊引戸の前後の振れを制限して冷気の洩れを少なくできるようにし、しかも引戸の安定した走行を可能にした冷蔵ショーケースの上吊引戸を提供することにある。
【課題を解決するための手段】
【０００８】
上記の目的を達成するため本発明が提案する冷蔵ショーケースの上吊引戸は、引戸の上框に設置した戸車を、冷蔵ショーケースの前面開口部を構成する上枠に沿って設置されたレールに走行自在に係合してなる冷蔵ショーケースの上吊引戸において、引戸の上框上に取り付けられ、前記上框の厚さに略等しい長さを有して水平方向に延びる固定片と、当該固定片に対して垂直の方向に延びる戸車支持片と、固定片の一側と戸車支持片の下縁との間に斜めに延びて固定片と戸車支持片とを連結している連結斜片とを一体に備え、断面フック状とされたブラケットが前記引戸の上框上に設置され、前記戸車支持片に垂直に設けられた軸（すなわち、水平方向に延びる軸）を介して前記戸車が設けられていることを特徴とするものである（請求項１）。
【０００９】
かかる本発明の冷蔵ショーケースの上吊引戸によれば、戸車が回動可能に取り付けられるブラケットは、上吊引戸の上框上に取り付けられ、上框の厚さ（前後方向の幅）に略等しい長さ（前後方向の幅）を有して水平方向に延びる固定片と、当該固定片に対して垂直の方向に延びる戸車支持片と、固定片の一側と戸車支持片の下縁との間に斜めに延びて固定片と戸車支持片とを連結している連結斜片とが一体になって構成されている。すなわち、このブラケットは、前述した形状・構造の固定片と、戸車支持片と、連結斜片とが、前述した配置形態で一体になって構成されているので、図１図示のように、断面フック状になっている。
【００１０】
更に、戸車は上吊引戸の上框上に前述したようにして設置されているブラケットの戸車支持片に垂直に設けられた軸（すなわち、水平方向に延びる軸）を介してブラケットに回動可能に取り付けられている。
【００１１】
このような戸車が、冷蔵ショーケースの前面開口部を構成する上枠に沿って設置されたレールに走行自在に係合しているので、上吊引戸の姿勢を、常時、図１図示の垂直方向で安定させて、前後方向の振れを制限することができる。
【００１２】
この結果、上吊引戸の周囲に隙間が形成されるのを防止して冷気の洩れを少なくできる効果がある。しかも、上吊引戸の姿勢を垂直方向で安定できるので、戸車の走行を安定させ、わずかな力で、引戸の開閉を円滑にできる効果がある。
【００１３】
更に、冷蔵ショーケースの開口部の下枠にレールや溝を設ける必要がないので、下枠に凹凸が形成されることがなく、開口部の掃除が容易で、開口部から物品を下枠の上面に接触させつつ冷蔵ショーケース内に搬入、搬出することも容易になる。
【００１４】
次に、本発明が提案する請求項２記載の冷蔵ショーケースの上吊引戸は、前述した請求項１記載の冷蔵ショーケースの上吊引戸において、前記上吊引戸は、下框の全長に亘って、下框の前縁又は後縁に沿って下方に延びる遮蔽板を備えており、当該遮蔽板が、前記冷蔵ショーケースの前面開口部の下枠に沿って全長に亘って形成されている収容溝に収容されていることを特徴とするものである。
【００１５】
かかる請求項２記載の冷蔵ショーケースの上吊引戸によれば、請求項１の発明によって発揮される作用・効果に加えて、前記上吊引戸は、下框の全長に亘って、下框の前縁又は後縁に沿って下方に延びる遮蔽板を備えており、当該遮蔽板が、前記冷蔵ショーケースの前面開口部の下枠に沿って全長に亘って形成されている収容溝に収容されているので、上吊引戸の下框と冷蔵ショーケースの開口部の下枠の間隙を完全に塞ぐことができ、冷気の洩れを更に少なくできる効果がある。
【００１６】
また、請求項３に係る本発明の冷蔵ショーケースの上吊引戸は、請求項２記載の冷蔵ショーケースの上吊引戸が、前後方向に２枚隣接して配置されていると共に、前記冷蔵ショーケースの前面開口部の下枠に、当該２枚の上吊引戸の中の外側の上吊引戸の前記遮蔽板の外面から、内側の上吊引戸の前記遮蔽板の内面までの幅で凹入部が長手方向に沿って形成され、この凹入部に外側の上吊引戸の遮蔽板の内面から内側の上吊引戸の遮蔽板の外面までの幅を有し、上側面の高さが、前記前面開口部の下枠の上側面の高さと同一になる下部レールが設置されて、前記収容溝が当該下部レールの前側および後側にそれぞれ形成され、前記凹入部に下側から結露防止用ドレンパイプが接続されていることを特徴とするものである。
【００１７】
かかる請求項３記載の本発明の冷蔵ショーケースの上吊引戸によれば、請求項２の発明によって発揮される作用・効果に加えて、各引戸の前面に結露が生じて、これが流下した場合であっても、前記凹入部に下側から接続されている結露防止用ドレンパイプを通して排出できる効果がある。
【００１８】
また、冷蔵ショーケースの前面開口部の下枠に凹入部が長手方向に沿って形成されていても、この凹入部に、上側面の高さが、前記前面開口部の下枠の上側面の高さと同一になる下部レールが設置されているので、下枠に大きな凹凸が形成されることがなく、開口部の掃除が容易で、開口部から物品を下枠の上面に接触させつつ冷蔵ショーケース内に搬入、搬出することも容易になる。
【００１９】
次に、請求項４に係る本発明の冷蔵ショーケースの上吊引戸は、冷蔵ショーケースの前面開口部の外側に配備される請求項１乃至３のいずれか一項記載の冷蔵ショーケースの上吊引戸の、左右方向で他の上吊引戸の縦框または、冷蔵ショーケースの前面開口部の縦枠に当接しない側の下框の端部に、前面開口部の下枠に摺接する洩れ止めフィンが設けられていることを特徴とするものである。
【００２０】
かかる請求項４記載の本発明の冷蔵ショーケースの上吊引戸によれば、請求項１乃至３のいずれか一項記載の本発明の冷蔵ショーケースの上吊引戸によってそれぞれ発揮される作用・効果に加えて、前述したように洩れ止めフィンが設けられているので、かかる洩れ止めフィンが設けられている上吊引戸の下框の側面側部分と、下枠の上側面との間の隙間を塞ぎ、ここから冷気が洩れるのを防止できる効果がある。
【００２１】
また、請求項５に係る本発明の冷蔵ショーケースの上吊引戸は、請求項１乃至３のいずれか一項記載の冷蔵ショーケースの上吊引戸が左右方向において２枚隣接される際に、引戸相互の当接部に対応させて、冷蔵ショーケースの前面開口部の下枠にストッパが着脱自在に設けられていることを特徴とするものである。
【００２２】
かかる請求項５記載の本発明の冷蔵ショーケースの上吊引戸によれば、請求項１乃至３のいずれか一項記載の本発明の冷蔵ショーケースの上吊引戸によってそれぞれ発揮される作用・効果に加えて、前述したように、冷蔵ショーケースの前面開口部の下枠にストッパが着脱自在に設けられているので、上吊引戸が左右方向において２枚隣接される際に、各引戸の閉鎖位置をストッパによって位置決めされる所定の位置にすることができる。この結果、外側引戸と内側引戸の組が採用されていて、引戸が閉鎖された時に、外側引戸の縦框と内側引戸の縦框の間に隙間が形成されるような事態を防止し、冷気の洩れる隙間が形成されるのを回避できる効果がある。
【００２３】
本発明の冷蔵ショーケースの上吊引戸は、前述したように、わずかな力で、引戸の開閉を円滑にできるが、前述したように配備されるストッパとの組み合わせによって各引戸の閉鎖位置をストッパによって位置決めされる所定の位置にすることができる。
【発明の効果】
【００２４】
この発明によれば、上吊引戸の前後の振れを制限して冷気の洩れを少なくできるようにし、しかも引戸の安定した走行を可能にした冷蔵ショーケースの上吊引戸を提供することができる。
【発明を実施するための最良の形態】
【００２５】
以下、この発明の一実施形態を添付の図を参照して説明する。
【００２６】
図１は、冷蔵ショーケース１の前面開口部２の部分の縦断面図である。図において、右側が冷蔵ショーケース１の内部であり、左側が外部である。
【００２７】
前面開口部２は、上枠３、下枠４および縦枠５で方形に形成されている。前面開口部２には、外側の上吊引戸２１と内側の上吊引戸２２が上吊状態で引き違い可能に設置されている（なお、以下、「上吊引戸２１」を単に「引戸２１」、「上吊引戸２２」を単に「引戸２２」と表すことがある。）。
【００２８】
各引戸２１、２２は、上框２３、下框２４および縦框２５で方形に枠組みされて、内側にペアガラス２６が嵌め込まれている。
【００２９】
各引戸２１、２２は、図２に引戸２１に関して示したように、上框２３の両端部側にそれぞれブラケット３１が取り付けられ、ブラケット３１に戸車４１が設けられている。なお、吊り下げ安定性、走行安定性を損なわない範囲で、上框２３に取り付けるブラケット３１の数を増加させたり、各ブラケット３１に取り付ける戸車４１の数を増加させることができる。
【００３０】
図示の実施形態では、冷蔵ショーケース１の前面開口部２の上枠３の下面には凹入溝６が長手方向（図３の左右方向）に沿って形成されて、凹入溝６の対向する内面に、金属板を断面Ｌ字状に成形したレール７、７が互いに向き合うようにして設置されている（図１）。
【００３１】
ブラケット３１に設けた戸車４１が、レール７、７に懸架されて、各引戸２１、２２がレール７、７に沿って走行自在となっている。
【００３２】
レール７、７の内面には、塩化ビニルプレートなどの緩衝材８、９が内貼りされており、戸車４１の走行が静粛かつ滑らかにできるようにされている。
【００３３】
ブラケット３１は、金属板を図１図示のように断面フック状に成形したものである。
【００３４】
引戸２１、２２の上框２３の厚さ（図１において左右の方向）に略等しい長さを有する固定片３２が、水平方向に延びる引戸２１、２２の上框２３の上に、水平方向に延びるように取り付けられている。
【００３５】
ブラケット３１は、この固定片３２に対して垂直の方向に延びる戸車支持片３３と、固定片３２の一側と戸車支持片３３の下縁の間に斜めに延びて固定片３２と戸車支持片３３を連結している連結斜片３４とを一体に備えている。
【００３６】
このように、ブラケット３１は、水平方向に延びる固定片３２と、固定片３２に対して垂直の方向に延びる戸車支持片３３と、連結斜片３４とが一体構造になって形成されているので、図１図示のように、固定片３２は、引戸２１、２２のペアガラス２６の中央部を通過する鉛直線方向に延びている。そして、連結斜片３４と固定片３２とが連続している位置は、引戸２１のペアガラス２６の後ろ側（図１の前方側の引戸２１）、あるいは、引戸２２のペアガラス２６の前側（図１の後方側の引戸２２）になっている。
【００３７】
図示の実施形態では、引戸２１、２２の上框２３にブラケット３１、３１を、それぞれの連結斜片３４が背中合わせとなるようにして、固定片３２を介して取り付けている。
【００３８】
ブラケット３１の戸車支持片３３には、戸車支持片３３に対して垂直方向に（すなわち、水平方向に延びるように）軸３５が設けられて、戸車４１がこの軸３５に回転自在に設けられている。
【００３９】
冷蔵ショーケース１の前面開口部２を構成する下枠４には、引戸２１、２２の下框２４と対向するようにして凹入部１０が長手方向に沿って、下枠４の全長に亘って形成されている。
【００４０】
一方、外側の引戸２１の下框２４ａおよび内側の引戸２２の下框２４ｂの下面には、合成樹脂板または金属板を成形してなる遮蔽板１１ａ、１１ｂがそれぞれ取り付けられている。
【００４１】
遮蔽板１１ａ、１１ｂは、図１図示のように、断面Ｌ字状とされており、垂下片部分が下框２４ａ、２４ｂの前縁に沿って下方に延びて、下枠４に形成された凹入部１０に収容されるようになっている。
【００４２】
遮蔽板１１ａ、１１ｂの垂下片部分を収容する下枠４の凹入部１０は、外側の引戸２１の遮蔽板１１ａの外面（図１において左側面）から内側の引戸２２の遮蔽板１１ｂの内面（図１において右側面）までの幅で形成されている。
【００４３】
そして、この凹入部１０内に、外側の引戸２１の遮蔽板１１ａの内面（図１において右側面）から内側の引戸２２の遮蔽板１１ｂの外面（図１において左側面）までの幅の下部レール１２が設置されている。
【００４４】
この結果、下部レール１２の前側および後側には、引戸２１、２２の遮蔽板１１ａ、１１ｂに対応して収容溝１３ａ、１３ｂが形成され、遮蔽板１１ａ、１１ｂをそれぞれ略隙間なく収容できるようになっている。
【００４５】
また、図１に示したように、下部レール１２の上側面の高さは、冷蔵ショーケース１の前面開口部２の下枠４の高さと同一になっている。
【００４６】
そこで、凹入部１０、収容溝１３ａ、１３ｂが形成されているにもかかわらず、冷蔵ショーケース１の前面開口部２の下枠４に大きな凹凸が形成されることがなく、前面開口部２の掃除が容易で、前面開口部２から物品を下枠４の上面に接触させつつ冷蔵ショーケース１内に容易に搬入、搬出することができる。
【００４７】
図１に表れているように、下枠４に形成した凹入部１０には、下側から結露防止用ドレンパイプ１４が接続されている。そして、この結露防止用ドレンパイプ１４は、下枠４を通して冷蔵ショーケース１の内部の排水路（図３に符号１４ａで示されているスリット部材が上側から嵌め込まれている部分に排水路が形成されている）に導かれている。
【００４８】
図３は、外側の引戸２１と内側の引戸２２の組を前面開口部２に２組設置した場合の外観を説明するものである。各組の外側の引戸２１を中央側にして設置し、各組の外側の引戸２１をその組の内側の引戸２２（図３では左側の組において、内側の引戸２２の図中、右側の縦框２５のみ表れている）の外側に重なるように移動させて、前面開口部２を開放できるようにしている。
【００４９】
そして、各組の外側の引戸２１の縦框２５相互の当接部に対応させて、下枠４には、図３、４に示した如くのストッパ１５を着脱自在に取り付けることができる。
【００５０】
ストッパ１５は、金属板または合成樹脂板からなり、摘み部１６と仕切り板部１７を有し、仕切り板部１７を下枠４の中央に形成した溝１８に装着して設置されている。
【００５１】
仕切り板部１７の上縁部を下枠４の上面から若干突出させて、外側の引戸２１の縦框２５が当たるようにし、外側の引戸２１の走行をストッパ１５で停止できるようにされている。
【００５２】
前面開口部２に２組設置した外側の引戸２１と内側の引戸２２のうち、外側の引戸２１の下框２４の一方の端部（縦框２５の下端部でもある）には、図２に示したように、合成樹脂製の洩れ止めフィン１９が横向きに取り付けられている。
【００５３】
ここで、下框２４の一方の端部とは、他方の組の外側の引戸２１から遠い端部である。言い換えれば、２枚の外側の引戸２１、２１を閉鎖した時に、他方の外側の引戸２１と当接しない端部である。
【００５４】
横向きに取り付けた洩れ止めフィン１９は、下枠４の上面に摺接するようにされ、外側の引戸２１の走行には支障がないようにされている。
【００５５】
洩れ止めフィン１９は、洩れ止めフィン１９が設けられている引戸２１、２２の下框２４ａ、２４ｂの側面側部分（図２で言えば、下框２４ａの右側側面部分）と、下枠４の上側面との間の隙間を塞ぎ、ここから冷気が洩れるのを防止するものである。
【００５６】
そこで、左右方向（図２、図３の左右方向）で他の上吊引戸の縦框２５または、冷蔵ショーケース１の前面開口部２の縦枠に当接しない側の引戸２１、２２の下框２４ａ、２４ｂの端部に、前面開口部２の下枠４に摺接する洩れ止めフィン１９を設けるようにすることができる。
【００５７】
本発明の冷蔵ショーケース１の上吊引戸２１、２２は以上のように構成されている。
【００５８】
冷蔵ショーケース１の前面開口部２に２組設けた外側の引戸２１と内側の引戸２２のうち、外側の引戸２１を前面開口部２の中央で互いに当接するようにして、前面開口部２を閉鎖し、また、図３に示したように外側の引戸２１、２１をそれぞれ互いに離れる方向に移動させて内側の引戸２２に重なるようにして前面開口部２を解放することができる。
【００５９】
また、一方の外側の引戸２１を上記のように移動させて前面開口部２を開放することもできる。
【００６０】
本発明の冷蔵ショーケース１の上吊引戸２１、２２によれば、戸車４１を取り付けたブラケット３１を図１図示のように断面フック状として、外側の引戸２１および内側の引戸２２が、常時垂直の姿勢を安定に保ち、前後の方向（図１における左右方向）で振れが生じないように制限できる。
【００６１】
そこで、閉鎖時には外側の引戸２１と内側の引戸２２の縦框２５が、設計通りの間隙を保って重なり合い、冷気の洩れを極めて少なくすることができる。
【００６２】
また、外側の引戸２１を移動させる際には、外側の引戸２１の振れが制限されていることから、引戸相互がこすれあうようなこともなく、レール７上を走行する戸車４１の走行も安定し、開閉を円滑に行うことができる。
【００６３】
また、外側の引戸２１と内側の引戸２２の下框２４ａ、２４ｂに、それぞれ遮蔽板１１ａ、１１ｂを設けて、この遮蔽板１１ａ、１１ｂが下枠４に形成した収容溝１３ａ、１３ｂに収容される形態にすると、前後方向（図１における左右方向）における、下框２４ａ、２４ｂと下枠４との間隙を略完全に塞ぐことができる。これにより、下框２４ａ、２４ｂと下枠４の間から冷気が洩れ出すことはなく、断面フック状としたブラケット３１と協働して、極めて気密性の高い前面開口部２を構成することができる。
【００６４】
引戸２１、２２の開閉にあたり、下枠４の所定の位置（例えば、中央部）にストッパ１５を着脱自在にしておけば、このストッパ１５を利用して、引戸２１、２２の閉鎖位置を希望する一定の位置にすることができる。例えば、外側の引戸２１を一定の位置で停止させることにより、外側の引戸２１の縦框２５と内側の引戸２２の縦框２５が完全に重なり合うようにし、双方の縦框２５が離れて隙間が形成されるような事態を避けて、高い気密性を維持することができる。
【００６５】
本願発明の冷蔵ショーケース１の上吊引戸２１、２２は、戸車４１を取り付けたブラケット３１を図１図示のように断面フック状として、常時垂直の姿勢を安定に保ち、前後の方向（図１における左右方向）で振れが生じないように制限でき、レール７上を走行する戸車４１の走行を安定させ、わずかな力で円滑に開閉移動できるが、前述したように配備されるストッパ１５との組み合わせによって各引戸２１、２２の閉鎖位置をストッパ１５によって位置決めされる所定の位置にすることができる。
【００６６】
外側の引戸２１の下框２４ａの端部に設けた洩れ止めフィン１９は、外側の引戸２１を閉鎖位置にした時に、下框２４ａの端部と下枠４の隙間を塞ぐ。このため、遮蔽板１１ａより内側において、下框２４ａと下枠４の隙間を通して冷気が洩れ出すのを防止することができる。
【００６７】
また、冷蔵ショーケース１を実際に使用していると、引戸２１、２２に結露が生じて流下するが、流下した結露は、遮蔽板１１ａ、１１ｂを介して凹入部１０で受けることができ、凹入部１０に溜まる結露水は、ドレンとして結露防止用ドレンパイプ１４を通して排出することができる。
【図面の簡単な説明】
【００６８】
【図１】この発明の冷蔵ショーケースの上吊引戸が冷蔵ショーケースの前面開口部に前後方向で２枚設置されている状態の一部を省略した縦断面図。
【図２】この発明の冷蔵ショーケースの上吊引戸の正面図。
【図３】この発明の冷蔵ショーケースの上吊引戸が冷蔵ショーケースの前面開口部に配備されている状態（開放状態）を説明する斜視図。
【図４】冷蔵ショーケースの前面開口部の下枠に着脱自在に取り付けられるストッパを説明する図で、（ａ）は引戸を閉鎖した状態で示した一部斜視図、（ｂ）は引戸を開放した状態で示した一部斜視図、（ｃ）はストッパの斜視図である。
【符号の説明】
【００６９】
１    冷蔵ショーケース
２    前面開口部
３    上枠
４    下枠
５    縦枠
６    凹入溝
７    レール
８    緩衝材
９    緩衝材
１０    凹入部
１１ａ、１１ｂ    遮蔽板
１２    下部レール
１３ａ、１３ｂ    収容溝
１４    結露防止用ドレンパイプ
１５    ストッパ
１６    摘み部
１７    仕切り板部
１８    溝
１９    洩れ止めフィン
２１    外側引戸
２２    内側引戸
２３ａ、２３ｂ    上框
２４ａ、２４ｂ    下框
２５    縦框
２６    ペアガラス
３１    ブラケット
３２    固定片
３３    戸車支持片
３４    連結斜片
３５    軸
４１    戸車
【図１】
2008023028.tif 000003
【図２】
2008023028.tif 000004
【図３】
2008023028.tif 000005
【図４】
2008023028.tif 000006